(57)【特許請求の範囲】
【請求項１】
透過照明が可能な指標部を有する文字板と、
該文字板の裏面側に設置された光源と、
該光源からの光を少なくとも前記文字板の前記指標部の裏面側へ導く導光体と、
表面側に前記文字板が設置され、内部に前記光源および前記導光体が収容配置され、その内面に前記導光体から出た光を該導光体へ戻すように反射させる主反射面を有するハウジングとを有すると共に、
前記導光体が、前記光源からの光を入射する入射部と、前記光源からの光を前記文字板の前記指標部に沿って導く横行部と、前記入射部から入射された光を前記横行部へ向けて反射させる内部反射用屈曲部とを有する文字板照明構造において、
前記ハウジングにおける、前記指標部の照明の低輝度部分の裏側に、補助反射面が設けられると共に、
該補助反射面が、前記低輝度部分へ向けて光を集める凹状の集光部を有することを特徴とする文字板照明構造。
【請求項２】
前記補助反射面が、前記光源の近傍から前記横行部と前記内部反射用屈曲部との境界部分の近傍までの間に少なくとも１箇所以上設けられたことを特徴とする請求項１記載の文字板照明構造。
【請求項３】
透過照明が可能な指標部を有する文字板と、
該文字板の裏面側に設置された光源と、
該光源からの光を少なくとも前記文字板の前記指標部の裏面側へ導く導光体と、
表面側に前記文字板が設置され、内部に前記光源および前記導光体が収容配置され、その内面に前記導光体から出た光を該導光体へ戻すように反射させる主反射面を有するハウジングとを有すると共に、
前記導光体が、前記光源からの光を入射する入射部と、前記光源からの光を前記文字板の前記指標部に沿って導く横行部と、前記入射部から入射された光を前記横行部へ向けて反射させる内部反射用屈曲部とを有する文字板照明構造において、
前記光源が、前記ハウジングに設けられた光源挿入部内にハウジングの裏面側から挿入されており、
前記ハウジングにおける、前記指標部の前記光源寄りの位置に形成される照明の低輝度部分の裏側に、前記入射部に入射しなかった光、および、前記導光体の途中から漏れた光を、照明の低輝度部分へ向けて反射させる補助反射面が設けられると共に、
該補助反射面の前記光源側の端部が、前記光源挿入部における、前記光源の発光部よりも取付基部側の位置から、前記光源挿入部に対し屈曲した状態で開始されていることを特徴とする文字板照明構造。 
【発明の詳細な説明】
【技術分野】
【０００１】
この発明は、文字板照明構造に関するものである。
【背景技術】
【０００２】
自動車などの車両には、車室内の前部にインストルメントパネルが設置されている。このインストルメントパネルの運転席側の部分や、運転席と助手席との間の部分には、速度やエンジン回転数やその他の運転情報を表示するための計器装置が設けられている（例えば、特許文献１参照）。
【０００３】
このような計器装置には、上記したような各種の運転情報を表示するための文字板が備えられており、この文字板は、照明可能なものとされている。
【０００４】
図５は、上記した計器装置１の断面を示すものであり、この計器装置１は、透過照明が可能な指標部２（詳細には図示せず）を有する文字板３を備えている。そして、この文字板３の裏面側には、光源４が設置されている。更に、この光源４からの光Ｌを少なくとも上記した文字板３の指標部２の裏面側へ導く導光体５が設置されている。
【０００５】
上記した文字板３は、ハウジング６の表面側に設置されている。また、上記した光源４および導光体５は、ハウジング６の内部に収容配置されている。このハウジング６は、その内面に、導光体５から出た光Ｌを導光体５へ戻すように反射させる反射面７を有している。
【０００６】
そして、少なくとも上記した導光体５は、光源４からの光Ｌを入射する入射部８と、光源４からの光Ｌを文字板３の指標部２に沿って導く横行部９とを有しており、更に、上記入射部８から入射された光Ｌを横行部９へ向けて反射させる内部反射用屈曲部１１を有している。
【０００７】
なお、上記した光源４は、上記したハウジング６の裏面側に設置される基板１２に対して取付けられる。また、上記した導光体５（の少なくとも横行部９）の裏面側には、導光体５の内部に導かれている光Ｌの一部を反射および分散させて、指標部２の照明を部分的に明るくするためのシボ状、微小凹凸状、或いは、マイクロドット状などの照明調整部１３が形成されている。
【０００８】
このような構成によれば、以下のような作用が得られる。
【０００９】
即ち、光源４からの光Ｌは、入射部８から導光体５の内部へ入射される。導光体５へ入射された光Ｌは、導光体５の内部で内部反射用屈曲部１１によって反射されて横行部９へと導かれる。横行部９へ導かれた光Ｌは、ハウジング６に形成された反射面７で反射されつつ、横行部９の先端側へ向けて案内されると共に、その一部が照明調整部１３で反射および分散されて文字板３の指標部２を照明したりするのに用いられる。
【先行技術文献】
【特許文献】
【００１０】
【特許文献１】特開２０１１−４７７９０号公報
【発明の概要】
【発明が解決しようとする課題】
【００１１】
しかしながら、上記した文字板照明構造には、以下のような問題があった。
【００１２】
即ち、上記した導光体５の内部反射用屈曲部１１は、横行部９の先端にまで光Ｌを届かせることができるようにするために、その外周面側または図中上面側に設けられた、光Ｌを全反射させる反射角度（臨界角）を有する反射面によって光Ｌを曲げるようにしているので、却って、光源４の近傍などに光Ｌが届き難くなってしまい、指標部２の光源４寄りの位置などに照明の低輝度部分１４が発生する傾向がある。
【００１３】
このように、指標部２の光源４寄りの位置などに照明の低輝度部分１４が発生すると、指標部２を光源４の近くにまで拡張して設けることができなくなるので、指標部２の設置可能範囲が狭くなってしまうと共に、文字板３の設計自由度が小さくなるなどの問題が生じる。
【課題を解決するための手段】
【００１５】
上記課題を解決するために、請求項１に記載された発明は、
透過照明が可能な指標部を有する文字板と、
該文字板の裏面側に設置された光源と、
該光源からの光を少なくとも前記文字板の前記指標部の裏面側へ導く導光体と、
表面側に前記文字板が設置され、内部に前記光源および前記導光体が収容配置され、その内面に前記導光体から出た光を該導光体へ戻すように反射させる主反射面を有するハウジングとを有すると共に、
前記導光体が、前記光源からの光を入射する入射部と、前記光源からの光を前記文字板の前記指標部に沿って導く横行部と、前記入射部から入射された光を前記横行部へ向けて反射させる内部反射用屈曲部とを有する文字板照明構造において、
前記ハウジングにおける、前記指標部の照明の低輝度部分の裏側に、補助反射面が設けられると共に、
該補助反射面が、前記低輝度部分へ向けて光を集める凹状の集光部を有することを特徴とする。 
【００１６】
請求項２に記載された発明は、上記において、前記補助反射面が、前記光源の近傍から前記横行部と前記内部反射用屈曲部との境界部分の近傍までの間に少なくとも１箇所以上設けられたことを特徴とする。 
【００１７】
請求項３に記載された発明は、
透過照明が可能な指標部を有する文字板と、
該文字板の裏面側に設置された光源と、
該光源からの光を少なくとも前記文字板の前記指標部の裏面側へ導く導光体と、
表面側に前記文字板が設置され、内部に前記光源および前記導光体が収容配置され、その内面に前記導光体から出た光を該導光体へ戻すように反射させる主反射面を有するハウジングとを有すると共に、
前記導光体が、前記光源からの光を入射する入射部と、前記光源からの光を前記文字板の前記指標部に沿って導く横行部と、前記入射部から入射された光を前記横行部へ向けて反射させる内部反射用屈曲部とを有する文字板照明構造において、
前記光源が、前記ハウジングに設けられた光源挿入部内にハウジングの裏面側から挿入されており、
前記ハウジングにおける、前記指標部の前記光源寄りの位置に形成される照明の低輝度部分の裏側に、前記入射部に入射しなかった光、および、前記導光体の途中から漏れた光を、照明の低輝度部分へ向けて反射させる補助反射面が設けられると共に、
該補助反射面の前記光源側の端部が、前記光源挿入部における、前記光源の発光部よりも取付基部側の位置から、前記光源挿入部に対し屈曲した状態で開始されていることを特徴とする。 
【発明の効果】
【００１８】
光源からの光は、入射部から導光体の内部へ入射される。導光体へ入射された光は、導光体の内部で内部反射用屈曲部によって反射されて横行部へと導かれる。横行部へ導かれた光は、ハウジングに形成された主反射面で反射されつつ、横行部の先端側へ向けて案内されたり、文字板の指標部を照明したりするのに用いられる。 
【００１９】
この際、上記した導光体の内部反射用屈曲部は、横行部の先端にまで光を届かせることができるようにするために、光を全反射させる反射角度（臨界角）を用いて光を曲げるようにしているので、却って、光源の近傍などに光が届き難くなってしまい、指標部の光源寄りの位置などに照明の低輝度部分が発生する傾向がある。
【００２２】
請求項１に記載された発明によれば、上記構成によって、以下のような作用効果を得ることができる。即ち、ハウジングにおける、指標部の照明の低輝度部分の裏側に、補助反射面が設けられることにより、指標部の照明の低輝度部分の裏側へ回り込んだ未入射光や漏光などを集めて効率的に低輝度部分へ向けて反射させることができる。 
【００２３】
また、補助反射面が、低輝度部分へ向けて光を集める凹状の集光部を有することにより、低輝度部分の裏側へ回り込んだ僅かな未入射光や漏光などを低輝度部分へ向け効率的に集光して低輝度部分の輝度低下を改善することができる。
【００２４】
請求項２に記載された発明によれば、上記構成によって、以下のような作用効果を得ることができる。即ち、補助反射面が、光源の近傍から横行部と内部反射用屈曲部との境界部分の近傍までの間に少なくとも１箇所以上設けられたことにより、指標部の照明の低輝度部分が最も生じ易い光源寄りの位置（内部反射用屈曲部から所定の範囲の部分）に対して確実に補助反射面を設けることができる。これにより、指標部の光源寄りの位置における照明の低輝度部分の発生が解消されるので、文字板の指標部の設置可能範囲を拡大して、指標部を光源の近傍にまで拡大することができる。よって、文字板の設計自由度を向上することができる。 
【００２５】
請求項３に記載された発明によれば、上記構成によって、以下のような作用効果を得ることができる。即ち、補助反射面の光源側の端部が、ハウジングの光源挿入部における、光源の発光部よりも光源の取付基部側の位置から、光源挿入部に対し屈曲した状態で開始されていることにより、入射部に入射しなかった光のほとんど全てを効率的に補助反射面に集めて低輝度部分へ向け反射させることができる。 
【図面の簡単な説明】
【００２６】
【図１】本発明の実施の形態にかかる文字板照明構造の縦断面図である。
【図２】図１のより具体的構造を示す、一部破断した斜視図である。
【図３】図２の分解斜視図である。
【図４】図２の導光体の平面図である。
【図５】従来例にかかる文字板照明構造の縦断面図である。
【発明を実施するための形態】
【００２７】
自動車などの車両には、車室内の前部にインストルメントパネル（またはダッシュボードなどと呼ばれる車室前部内装パネル）が設置されている。このインストルメントパネルの運転席側の部分や、運転席と助手席との間の部分には、速度やエンジン回転数やその他の運転情報を表示するための計器装置が設けられている。
【００２８】
このような計器装置には、上記したような各種の運転情報を表示するための文字板が備えられており、この文字板は、照明可能なものとされている。この発明は、上記した文字板照明構造に関するものである。
【００２９】
以下、本実施の形態を具体化した実施例を、図面を用いて詳細に説明する。
【００３０】
図１〜図４は、この実施例およびその変形例を示すものである。
【実施例１】
【００３１】
＜構成＞以下、構成について説明する。
【００３２】
まず、図１は、上記した計器装置２１の縦断面図であり、計器装置２１は、透過照明が可能な指標部２２（詳細には図示せず）を有する文字板２３を備えている。この文字板２３の裏面側には、光源２４が設置されている。そして、この光源２４からの光Ｌを少なくとも上記した文字板２３の指標部２２の裏面側へ導く導光体２５が設置されている。
【００３３】
上記した文字板２３は、ハウジング２６の表面側に設置されている。そして、上記した光源２４および導光体２５は、上記したハウジング２６の内部に収容配置されている。更に、このハウジング２６は、その内面に、導光体２５から出た光Ｌを導光体２５へ戻すように反射させる反射面（主反射面２７）を有している。
【００３４】
そして、少なくとも上記した導光体２５は、光源２４からの光Ｌを入射する入射部２８（入射面）と、光源２４からの光Ｌを文字板２３の指標部２２に沿って導く横行部２９とを有しており、更に、上記入射部２８から入射された光Ｌを横行部２９へ向けて反射させる内部反射用屈曲部３１を有している。
【００３５】
（補足説明）
ここで、上記した「文字板２３」は、透明な樹脂フィルムなどによって形成されている。この文字板２３の表面側または裏面側には、不透光性の印刷層が形成されている。
【００３６】
上記した「指標部２２」は、文字板２３の指針移動領域（または、指針回動領域）に沿って形成された目盛部や数値表示部などとされる。このような指標部２２は、文字板２３の上記した不透光性の印刷層を、指標部２２となる部分を残して形成することなどによって、透過照明が可能なように設けられる。なお、指標部２２には、半透光性の印刷層などを設けるようにしても良い。
【００３７】
上記した「光源２４」には、ＬＥＤなどが用いられる。この光源２４は、上記したハウジング２６の裏面側に設置される基板３２に取付けられる。この基板３２は、ハウジング２６に対し、文字板２３とほぼ平行な状態で設置される。この際、光源２４は、その光軸が文字板２３に対して垂直となるように取付けられる。この光源２４は、基板３２に取付けられる取付基部３３と、この取付基部３３の先端側に設けられる発光部３４とを有している。
【００３８】
上記した「導光体２５」は、透明な樹脂によって構成される。この導光体２５には、例えば、アクリルやポリカーボネートなどの樹脂が使用される。
【００３９】
上記した「ハウジング２６」は、その表面側に、上記した文字板２３を取付けるための図示しない文字板取付部を有している。また、ハウジング２６は、その裏面側に、上記した基板３２を取付けるための図示しない基板取付部を有している。また、ハウジング２６は、基板３２に取付けられた光源２４を内部へ挿入配置させるための光源挿入部３７を有している。この光源挿入部３７は、例えば、ハウジング２６に形成された貫通穴や切欠部などとされる。
【００４０】
上記した「主反射面２７」は、ハウジング２６の内部に形成された凹状の導光体収容部３８の内部に形成される。そして、導光体収容部３８の内部に導光体２５が収容設置されることにより、導光体２５の裏面は、導光体収容部３８の底面に対して僅かな隙間を有して離間配置され、また、導光体２５の側面は、導光体収容部３８の側面に対して僅かな隙間を有して離間配置される。但し、導光体２５の裏面と、導光体収容部３８の底面との間は、面接触させるようにしても良い。また、導光体２５の側面と、導光体収容部３８の側面との間は、面接触させるようにしても良い。このハウジング２６は、主反射面２７における光Ｌの反射率を上げるために、白色の樹脂などによって構成される。
【００４１】
上記した「入射部２８」は、導光体２５の光源２４と対向する面に設けられる。特に、この入射部２８は、導光体２５の端部に設けられる。この入射部２８は、少なくともその一部に、文字板２３とほぼ平行な面を有するように設けられる。
【００４２】
上記した「横行部２９」は、導光体２５の光源２４から横方向へ離れた位置に、指標部２２の裏面側に沿って設けられる。この横行部２９は、文字板２３とほぼ平行に設けられる。この横行部２９の文字板２３側の面が文字板２３（の指標部２２）を照明するための出射部とされる。この出射部と、文字板２３との間には、若干の隙間が形成される。但し、出射部は、文字板２３に面接触されるようにしても良い。
【００４３】
上記した「内部反射用屈曲部３１」は、入射部２８と横行部２９との間の位置に設けられる。この内部反射用屈曲部３１は、光源２４からの光Ｌの、全体としての進行方向を、（入射部２８側の）文字板２３と垂直な方向から、（横行部２９側の）文字板２３と平行な方向へと、９０度曲げるための屈曲部とされる。この内部反射用屈曲部３１は、その外周面側または図中上面側に、光Ｌを全反射させる反射角度（臨界角）の反射面を有する屈曲形状のものとされる。
【００４４】
そして、以上のような基本構成に対し、この実施例のものでは、以下のような構成を備えるようにしている。
【００４５】
（構成１）
上記したハウジング２６の内面に、入射部２８に入射しなかった光Ｌ１（未入射光）、および、上記した導光体２５から途中で漏れた光Ｌ２（漏光、特に図示せず）を、図５で説明したような、指標部２２の光源２４寄りの位置に（導光体２５からの光Ｌが届き難いことによって）形成される照明の低輝度部分１４へ向けて反射させる補助反射面４２を光源２４寄りの位置に設けるようにする。
【００４６】
（補足説明１）
ここで、上記した「入射部２８に入射しなかった光Ｌ１」とは、文字通り、光源２４から横方向へ出射されることにより、入射部２８へ入射されなかった光Ｌ１のことである。
【００４７】
上記した「導光体２５から途中で漏れた光Ｌ２」とは、導光体２５の主に内部反射用屈曲部３１の裏面側から途中で漏れた光Ｌ２を指している。但し、導光体２５の内部反射用屈曲部３１は、上記したように、光Ｌをより遠くへ導くようにするための形状とされているので、内部反射用屈曲部３１から漏れる光Ｌ２の量は、余り多くない。
【００４８】
上記した「低輝度部分１４」は、文字通り、光源２４寄りの位置で指標部２２の照明の輝度が部分的に低下される部分を言う。この低輝度部分１４は、主に、導光体２５の横行部２９と内部反射用屈曲部３１との境界部分の周辺（特に、横行部２９側など）に発生される。
【００４９】
この低輝度部分１４は、目視して分かるような目立つものから、目視しても分からないような僅かなものまで含まれるが、基本的に目視して分かる程度のものを対象としている。低輝度部分１４であるかどうかは、目視によって確認したり、光度計を用いて確認したりすることができる。
【００５０】
上記した「補助反射面４２」は、位置的には、上記した主反射面２７の一部（内部）に設けるようにしても良いし（内部補助反射面）、また、上記した主反射面２７から外れた位置（外部）に設けるようにしても良い（外部補助反射面）。或いは、補助反射面４２は、一部が主反射面２７の内部に位置し、一部が主反射面２７の外部に位置するように、主反射面２７の内外間に跨るように設けても良い。この場合には、主反射面２７の光源２４寄りの位置に対し、主反射面２７の一部を変形させるようにして、補助反射面４２を設けている。
【００５１】
補助反射面４２の形状は、上記した光Ｌ１、光Ｌ２を、指標部２２の照明の低輝度部分１４へ向けて反射することができるのであればどのようなものであっても良いが、単一の平面や単一の曲面、または、平面や曲面を複数組合せたものなどとすることができる。平面は、例えば、傾斜面などとすることができる。曲面は、例えば、円筒面や球面や放物面などの三次元曲面や、自由曲面を含むその他の曲面などとすることができる。なお、曲面には、角度の異なる小さな平面を複数組合せて近似させたものも含まれる。
補助反射面４２は、主反射面２７に対して、機能的に異なるものとして設けられる。但し、補助反射面４２と主反射面２７との設置位置などについては、上記したように、（一部）重複していても良い。
【００５２】
（構成２）
上記した補助反射面４２が、上記した指標部２２の照明の低輝度部分１４の裏側に設けられるようにする。そして、上記した補助反射面４２が、上記した低輝度部分１４へ向けて光Ｌ１、光Ｌ２を集める凹状の集光部４２ａを有するものとされる。
【００５３】
（補足説明２）
ここで、上記した「補助反射面４２」は、低輝度部分１４よりも広い範囲に亘って設けられるようにするのが好ましい。但し、スペース上の制約がある場合や、主反射面２７の機能に影響を与えるような場合には、低輝度部分１４と同じかそれよりも狭い範囲に設けるようにしても良い。
【００５４】
また、補助反射面４２は、低輝度部分１４の真裏の位置に設けるようにするのが好ましい。但し、状況によっては、低輝度部分１４の真裏から若干光源２４側或いは反光源２４側などへズレた位置に設けるようにすることもできる。
【００５５】
更に、補助反射面４２は、全体として、連続したなめらかな形状にするのが周辺の輝度を均一化する上では好ましい。例えば、補助反射面４２の凹状の集光部４２ａは、例えば、スリ鉢形状などとすることができる。但し、状況によっては、部分的になめらかでない形状が存在するようにしても良い。
【００５６】
上記した「凹状の集光部４２ａ」は、少なくとも補助反射面４２の一部に設けられるようにする。凹状の集光部４２ａを補助反射面４２の一部とする場合には、例えば、補助反射面４２を、凹状の集光部４２ａへ向けて光Ｌ１、光Ｌ２を集める部分と、この部分で集めた光Ｌ１、光Ｌ２を指標部２２の照明の低輝度部分１４へ向けて反射させる凹状の集光部４２ａとに分けて構成することなどができる。この場合、凹状の集光部４２ａを中心として、その回りを、凹状の集光部４２ａへ向けて光Ｌ１、光Ｌ２を集める部分が取囲むようなものとすることができる。
【００５７】
（構成３）
上記した補助反射面４２が、上記した光源２４の近傍から上記した横行部２９と上記した内部反射用屈曲部３１との境界部分の近傍までの間に少なくとも１箇所以上設けられるようにする。
【００５８】
（補足説明３）
ここで、上記した「補助反射面４２」は、指標部２２の照明の低輝度部分１４が複数箇所有る場合には、これに合わせて複数箇所設けるようにしても良い。
【００５９】
なお、横行部２９の中間部などに指標部２２の照明の低輝度部分１４が有る場合、構造的には、横行部２９の中間部の位置などに対して、同様の補助反射面４２を設けるようにすることも可能である。
【００６０】
（構成４）
上記した補助反射面４２の上記した光源２４側の端部４２ｂ（始端部）が、ハウジング２６の光源挿入部３７における、上記した光源２４の発光部３４よりも取付基部３３側の位置から、光源挿入部３７に対し屈曲した状態で開始されるようにする。 
【００６１】
（補足説明４）
ここで、上記した「取付基部３３側の位置」とは、文字板２３の垂直方向における、発光部３４と取付基部３３との境界よりも基板３２寄りの位置のことである。
【００６２】
＜作用＞以下、この実施例の作用について説明する。
【００６３】
光源２４からの光Ｌは、入射部２８から導光体２５の内部へ入射される。導光体２５へ入射された光Ｌは、導光体２５の内部で内部反射用屈曲部３１によって反射されて横行部２９へと導かれる。横行部２９へ導かれた光Ｌは、ハウジング２６に形成された主反射面２７で反射されつつ、横行部２９の先端側へ向けて案内されたり、文字板２３の指標部２２を照明したりするのに用いられる。
【００６４】
この際、上記した導光体２５の内部反射用屈曲部３１は、横行部２９の先端にまで光Ｌを届かせることができるようにするために、光Ｌを全反射させる反射角度（臨界角）を用いて光Ｌを曲げるようにしているので、却って、光源２４の近傍などに光Ｌが届き難くなってしまい、指標部２２の光源２４寄りの位置などに照明の低輝度部分１４が発生する傾向がある。
【００６５】
＜効果＞この実施例によれば、以下のような効果を得ることができる。
【００６６】
（作用効果１）
指標部２２の光源２４寄りの位置などに導光体２５からの光Ｌが届き難いことによって照明の低輝度部分１４が発生するような場合に、ハウジング２６の内面の光源２４寄りの位置に補助反射面４２を設けて、入射部２８に入射しなかった光Ｌ１や、導光体２５の途中から漏れた光Ｌ２を、指標部２２の照明の低輝度部分１４へ向けて反射させるようにすることで、これまで照明に利用されていなかった導光体２５の外側にある光Ｌ１、光Ｌ２を利用して、指標部２２の照明の低輝度部分１４を明るくする（輝度低下を改善したり緩和したりする）ことができるようになり、照明効率も向上することができる。
【００６７】
その結果、指標部２２の設置範囲全域に亘って均一に照明することが可能となる。また、指標部２２の設置範囲を光源２４側へ拡げることも可能となる。以って、設計自由度を上げることができる。
【００６８】
（作用効果２）
補助反射面４２が、指標部２２の照明の低輝度部分１４の裏側に設けられることにより、指標部２２の照明の低輝度部分１４の裏側へ回り込んだ未入射光（光Ｌ１）や漏光（光Ｌ２）などを集めて効率的に低輝度部分１４へ向けて反射させることができる。
【００６９】
また、補助反射面４２が、低輝度部分１４へ向けて光Ｌ１、光Ｌ２を集める凹状の集光部４２ａを有することにより、低輝度部分１４の裏側へ回り込んだ僅かな未入射光（光Ｌ１）や漏光（光Ｌ２）などを低輝度部分１４へ向け効率的に集光して低輝度部分１４の輝度低下を改善することができる。
【００７０】
（作用効果３）
補助反射面４２が、光源２４の近傍から横行部２９と内部反射用屈曲部３１との境界部分の近傍までの間に少なくとも１箇所以上設けられたことにより、指標部２２の照明の低輝度部分１４が最も生じ易い光源２４寄りの位置（内部反射用屈曲部３１から所定範囲の部分）に対して確実に補助反射面４２を設けることができる。
【００７１】
これにより、指標部２２の光源２４寄りの位置における照明の低輝度部分１４の発生が解消されるので、文字板２３の指標部２２の設置可能範囲を拡大して、指標部２２を光源２４の近傍にまで設定することができる。よって、更に、文字板２３の設計自由度を向上することができる。
【００７２】
（作用効果４）
補助反射面４２の光源２４側の端部４２ｂが、ハウジング２６の光源挿入部３７における、光源２４の発光部３４よりも光源２４の取付基部３３側の位置から、光源挿入部３７に対し屈曲した状態で開始されていることにより、入射部２８に入射しなかった光Ｌ１のほとんど全てを効率的に補助反射面４２に集めて低輝度部分１４へ向け反射させることができる。
【００７３】
（具体例）
以下、図２〜図４を用いてこの実施の形態の具体例について簡単に説明する。
【００７４】
一般的な計器装置２１では、「文字板２３（図示せず）」には、（円形または）部分円形状の指針回動領域が形成される。そして、（円形または）部分円形状の指針回動領域の周縁部に沿って、下部を除く３６０度よりも狭い範囲の部分に、指標部２２（図示せず）が形成される。
【００７５】
そして、文字板２３の指針回動領域の中心部には、指針軸が配置され、文字板２３の表面側には、指針回動領域の半径方向へ向けて指針が延設される。指針は、指針軸を中心に、文字板２３とほぼ平行な状態を保持して、指針回動領域に沿って回動される。
【００７６】
そして、上記した「導光体２５」は、指標部２２に沿ったほぼ円弧状のものとされる。このほぼ円弧状の導光体２５は、指標部２２の半径方向の幅と同じか、それよりも若干広い幅寸法を有するように構成される。
【００７７】
そして、導光体２５は、その大部分が横行部２９とされると共に、その両端部に、内部反射用屈曲部３１と、入射部２８とがそれぞれ一対設けられる。そして、各入射部２８の裏面側の位置に、一対の光源２４がそれぞれ設置される。なお、光源２４は、指針回動領域を構成する円内に設置されるようにするのが、スペース効率を向上する上で好ましい。
【００７８】
上記した「ハウジング２６」は、導光体２５とほぼ同様の円弧溝状をした導光体収容部３８を有するものとされ、この導光体収容部３８の内面に、上記した主反射面２７が形成される。そして、主反射面２７は、導光体収容部３８の底面に形成される底部反射面２７ａと、導光体収容部３８の外周側の側面に形成される外周側反射面２７ｂと、内周側の側面に形成される内周側反射面２７ｃとを有するものとされる。
【００７９】
更に、ハウジング２６には、上記した指針軸を貫通配置するための指針軸穴２６ａが形成される。この指針軸穴２６ａの周囲には、各種の警告表示や案内表示を照明するための複数の光源収容部２６ｂが、適宜形成される。なお、各種の警告表示や案内表示は、指標部２２とほぼ同様にして文字板２３に形成される。
【００８０】
そして、ハウジング２６と、導光体２５との間には、ハウジング２６に対する、導光体２５の位置を規定するための位置規定部４５ａ〜４５ｃが設けられる。この位置規定部４５ａ〜４５ｃは、ハウジング２６と、導光体２５との一方に設けられた位置決ピンと、他方に設けられたピン受部とによって構成される。この場合には、位置規定部４５ａ〜４５ｃは、導光体２５の延設方向の中央部（頂部）近傍と両端部近傍との３箇所に設けられている。但し、位置規定部４５ａ〜４５ｃの設置個数は、３箇所に限るものではない。また、位置決ピンとピン受部とは、ハウジング２６と、導光体２５とのどちらに設けても良い。なお、位置規定部４５ａ〜４５ｃは、導光体２５の機能を損なわないように、導光体２５の導光部分から外れた位置（内周側の位置や外周側の位置など）に設けられる。
【００８１】
そして、図４に示すように、上記した導光体２５（の少なくとも横行部２９）の裏面側には、（横行部２９の）内部に導かれている光Ｌの一部を反射および分散させて、指標部２２の照明を部分的に明るくするためのシボ状、微小凹凸状、或いは、マイクロドット状などの少なくともいずれかを有する照明調整部４６が形成される。この照明調整部４６は、輝度の低い部分の照明を明るくするために部分的に設けられるものである。そして、照明調整部４６は、濃度を濃くする程、指標部２２の照明を明るくすることができる。この照明調整部４６は、照明の明るさを調整するために、濃度を多段階に変えて設けることが可能である。
【００８２】
この場合には、照明調整部４６は、特に、上記した低輝度部分１４と他の部分との間の輝度のバラ付きを調整して、輝度が均一化されるように設定、調整される。
【００８３】
より具体的には、導光体２５の外周部分に、照明調整部４６が最も薄くなる部分を設けるようにする（最薄部４６ａ）。これは、導光体２５の外周部分は、最も多く光Ｌが導かれることによる。
【００８４】
そして、導光体２５の内周部分における、光源２４から最も遠くなる位置（導光体２５の頂部近傍）に、照明調整部４６が最も濃くなる部分を設けるようにする（最濃部４６ｂ）。これは、導光体２５の内周部分、特に、光源２４から最も遠い頂部の内周側の位置は、最も光Ｌが届き難いことによる。
【００８５】
更に、上記した最濃部４６ｂの周囲を囲む部分、および、導光体２５のほぼ幅中央部に位置する部分に、中程度の濃さの部分を設けるようにする（中濃部４６ｃ）。
【００８６】
そして、残りの部分（中濃部４６ｃの両側部分）に、中濃部４６ｃよりは薄く、基準となる濃さを有する部分を設けるようにする（通常濃度部４６ｄ）。
【００８７】
図４では、上記したような低輝度部分１４となっていた部分（図中括弧付きの符号で示している）は、補助反射面４２を設けることによって低輝度部分１４が改善されたことに伴い、通常濃度部４６ｄにすることができるようになっている。なお、この部分は、補助反射面４２を設けない場合には、最濃部４６ｂにしても十分な輝度が得られなかったものである。
【００８８】
そして、上記した補助反射面４２に加えて、以上のような４段階の照明調整部４６を設けて、４段階の輝度調整を行わせることにより、両者を共働させて輝度の均一化を図るようにしている。なお、上記した照明調整部４６は、４段階に輝度調整を行わせるものとしているが、これに限らず、２段階以上に輝度調整を行わせるものなどにすることもできる。
【００８９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９０】
２１ 計器装置
２２ 指標部
２３ 文字板
２４ 光源
２５ 導光体
２６ ハウジング
２７ 主反射面
２７ａ      底部反射面
２７ｂ      外周側反射面
２７ｃ      内周側反射面
２８ 入射部
２９ 横行部
３１ 内部反射用屈曲部
３２ 基板
３３ 取付基部
３４ 発光部
３７ 光源挿入部
３８ 導光体収容部
４２ 補助反射面
４２ａ      集光部
４２ｂ      端部
４２ｃ      端部
Ｌ     光
Ｌ１   光（未入射光）
Ｌ２   光（漏光）
【図１】
0005828804.tif 000002
【図２】
0005828804.tif 000003
【図３】
0005828804.tif 000004
【図４】
0005828804.tif 000005
【図５】
0005828804.tif 000006